【手続補正書】
【提出日】平成17年4月19日(2005.4.19)
【手続補正１】
【補正対象書類名】明細書
【補正対象項目名】発明の名称
【補正方法】変更
【補正の内容】
【発明の名称】車載電源監視装置及びその方法
【手続補正２】
【補正対象書類名】明細書
【補正対象項目名】特許請求の範囲
【補正方法】変更
【補正の内容】
【特許請求の範囲】
【請求項１】
車載機器に電源を供給する車載バッテリの電源電圧を検出する電源電圧検出手段と、
上記電源電圧検出手段によって検出された上記車載バッテリの電源電圧の予め設定された電源電圧の基準値からの低下値が予め設定された複数の閾値のいずれの値であるかを判定する閾値判定手段と、
上記閾値判定手段による判定結果に基づいて上記車載機器に対する電力消費の制御を促す警告を発する警告通報手段と
を有することを特徴とする車載電源監視装置。
【請求項２】
車載機器に電源を供給する車載バッテリに接続された上記車載機器で消費される電力消費容量から上記車載バッテリの残容量を検出する残容量検出手段と、
上記残容量検出手段から検出された上記車載バッテリの残容量が予め設定された複数の残容量基準値の閾値のいずれの値であるかを判定する閾値判定手段と、
上記閾値判定手段による判定結果に基づいて上記車載機器に対する電力消費の制御を促す警告を発する警告通報手段と
を有することを特徴とする車載電源監視装置。
【請求項３】
上記電力消費の制御を促す警告が、車載電気機器の電源のオフを促すものであることを特徴とする請求項１又は２記載の車載電源監視装置。
【請求項４】
上記電力消費の制御を促す警告が、電力消費量の低減を促すものであることを特徴とする請求項１又は２記載の車載電源監視装置「請求項５」 前記通警告報手段は無線受信機により受信可能な無線により警告を発するものであることを特徴とする請求項１又は２記載の車載電源監視装置。
【請求項５】
車載機器に電源を供給する車載バッテリの電源電圧を検出する電源電圧検出手段と、
上記電源電圧検出手段によって検出された上記車載バッテリの電源電圧の予め設定された電源電圧の基準値からの低下値が予め設定された複数の閾値のいずれの値であるかを判定する閾値判定手段と、
外部機器と無線によって送受信を行う送受信手段と、
上記閾値判定手段による判定結果に基づいて上記車載機器に対する電力消費の制御を促す警告を上記送受信手段によって発する警告通報手段と
を有することを特徴とする車載電源監視装置。
【請求項６】
上記外部機器は、携帯機器であることをことを特徴とする請求項５記載の車載電源監視装置。
【請求項７】
車載機器に電源を供給する車載バッテリの電源電圧を検出する電源電圧検出ステップと、
上記電源電圧検出ステップによって検出された上記車載バッテリの電源電圧の予め設定された電源電圧の基準値からの低下値が予め設定された複数の閾値のいずれの値であるかを判定する閾値判定ステップと、
上記閾値判定ステップによる判定結果に基づいて上記車載機器に対する電力消費の制御を促す警告を上記送受信手段によって発する警告通報ステップと
を有することを特徴とする車載電源監視方法。
【手続補正３】
【補正対象書類名】明細書
【補正対象項目名】０００１
【補正方法】変更
【補正の内容】
【０００１】  【発明の属する技術分野】  本発明は、車載電源監視装置、特に、車載バッテリの上がりを防止するためにその蓄電残量を監視して監視結果に基づいて電力消費の制御を促す警告を発する車載電源監視装置及びその方法に関する。
【手続補正４】
【補正対象書類名】明細書
【補正対象項目名】００１０
【補正方法】変更
【補正の内容】
【００１０】  【課題を解決するための手段】 上述の目的を達成するために提案される本発明に係る車載電源監視装置は、車載機器に電源を供給する車載バッテリの電源電圧を検出する電源電圧検出手段と、上記電源電圧検出手段によって検出された上記車載バッテリの電源電圧の予め設定された電源電圧の基準値からの低下値が予め設定された複数の閾値のいずれの値であるかを判定する閾値判定手段と、上記閾値判定手段による判定結果に基づいて上記車載機器に対する電力消費の制御を促す警告を発する警告通報手段とを有する。 また、本発明は、車載電源監視方法であり、車載機器に電源を供給する車載バッテリの電源電圧を検出する電源電圧検出ステップと、上記電源電圧検出ステップによって検出された上記車載バッテリの電源電圧の予め設定された電源電圧の基準値からの低下値が予め設定された複数の閾値のいずれの値であるかを判定する閾値判定ステップと、上記閾値判定ステップによる判定結果に基づいて上記車載機器に対する電力消費の制御を促す警告を上記送受信手段によって発する警告通報ステップとを有する。
【手続補正５】
【補正対象書類名】明細書
【補正対象項目名】００１１
【補正方法】変更
【補正の内容】
【００１１】  従って、本発明に係る車載電源監視装置及びその方法によれば、検出した車載バッテリの電源電圧の予め設定された電源電圧の基準値からの低下値が予め設定された複数の閾値のいずれの値であるかを判定し、その判定結果に基づいて車載機器に対する電力消費の制御を促す警告を発するので、ドライバに対してその警告に従って車載機器の電力消費を制御することを促すことができる。
【手続補正６】
【補正対象書類名】明細書
【補正対象項目名】００１２
【補正方法】変更
【補正の内容】
【００１２】 よって、車載バッテリの蓄電残量が少なくなってもドライバがそれに気付かず車載機器の電力消費量の制御をせず、蓄電残量が低減し、バッテリ上がりが生じてしまうことを未然に防止することが可能となる。
【手続補正７】
【補正対象書類名】明細書
【補正対象項目名】００１３
【補正方法】変更
【補正の内容】
【００１３】 また、本発明に係る他の車載電源監視装置は、車載機器に電源を供給する車載バッテリに接続された上記車載機器で消費される電力消費容量から上記車載バッテリの残容量を検出する残容量検出手段と、上記残容量検出手段から検出された上記車載バッテリの残容量が予め設定された複数の残容量基準値の閾値のいずれの値であるかを判定する閾値判定手段と、上記閾値判定手段による判定結果に基づいて上記車載機器に対する電力消費の制御を促す警告を発する警告通報手段とを有する。
【手続補正８】
【補正対象書類名】明細書
【補正対象項目名】００１４
【補正方法】変更
【補正の内容】
【００１４】 本発明に係る他の車載電源監視装置によれば、残容量を監視し、その残容量の予め設定された複数の残容量基準値の閾値に応じて警告するので、ドライバに対してその警告に従って車載機器の電力消費を制御することを促し、車載バッテリの残容量が顕著に低下することをドライバに気付かせることができ、バッテリ上がりが生じてしまうことを未然に防止することが可能となる。即ち、車載機器の消費容量が多くなると、残容量は低減するので、その残容量の総和を監視し、その残容量からどの程度の蓄電残量の減少度かが判定でき、その判定結果に基づいてその減少度に対応した警告を発することができる。
【手続補正９】
【補正対象書類名】明細書
【補正対象項目名】００５８
【補正方法】変更
【補正の内容】
【００５８】  【発明の効果】 本発明に係る車載電源監視装置及びその方法によれば、検出した車載バッテリの電源電圧の予め設定された電源電圧の基準値からの低下値が予め設定された複数の閾値のいずれの値であるかを判定し、その判定結果に基づいて車載機器に対する電力消費の制御を促す警告を発するので、ドライバに対してその警告に従って車載機器の電力消費を制御することを促すことができる。 よって、車載バッテリの蓄電残量が少なくなってもドライバがそれに気付かず車載機器の電力消費量の制御をせず、蓄電残量が低減し、バッテリ上がりが生じてしまうことを未然に防止することが可能となる。
【手続補正１０】
【補正対象書類名】明細書
【補正対象項目名】００５９
【補正方法】変更
【補正の内容】
【００５９】 また、本発明に係る車載電源監視装置によれば、残容量を監視し、その残容量の予め設定された複数の残容量基準値の閾値に応じて警告するので、ドライバに対してその警告に従って車載機器の電力消費を制御することを促し、車載バッテリの残容量が顕著に低下することをドライバに気付かせることができ、バッテリ上がりが生じてしまうことを未然に防止することが可能となる。
【手続補正１１】
【補正対象書類名】明細書
【補正対象項目名】００６０
【補正方法】変更
【補正の内容】
【００６０】 さらに、電力消費の制御を促す警告を、車載機器の電源のオフを促すものとすることにより、その警告に応じてドライバが一つの車載機器の電源をオフする毎にその消費電力或いは消費電流ずつ車載バッテリの消費電力或いは消費電流を軽減することが期待でき、バッテリ上がりが生じてしまうことを未然に防止することが可能となる。
【手続補正１２】
【補正対象書類名】明細書
【補正対象項目名】００６１
【補正方法】変更
【補正の内容】
【００６１】 さらにまた、電力消費の制御を促す警告を、電力消費量の低減を促すものとすることにより、車載機器についてある段階からいきなり電源を切らなくてはならなくなるようなことはなく、段階的に或いは連続的に音量或いはディスプレイの明るさが変化することによりよりきめ細やかな車載バッテリの蓄電残量の低減抑止ができるようにすることを促すことができる。
【手続補正１３】
【補正対象書類名】明細書
【補正対象項目名】００６２
【補正方法】変更
【補正の内容】
【００６２】 さらにまた、通警告報手段が無線受信機により受信可能な無線により警告を発するものとすることにより、通常の電話機、自動車電話機或いは携帯電話機を通じてドライバ等が警告メッセージを受けることができ、ドライバがその警告メッセージに従って車載電気機器の消費電力を車内における消費電力を規制して蓄電残量の低減を抑制し、バッテリ上がりが生じることを防止することができる。